【手続補正書】
【提出日】平成16年6月8日(2004.6.8)
【手続補正１】
【補正対象書類名】明細書
【補正対象項目名】０００９
【補正方法】変更
【補正の内容】
【０００９】
また、５６は横姿勢用焦点検出領域選択開始ボタンであり、これを押すことにより第１の情報入力部材５３と第２の情報入力部材５５による焦点検出領域の選択が可能となる。５７は縦姿勢用焦点検出領域選択開始ボタンであり、これを押すことにより第３の情報入力部材５４と第２の情報入力部材５５による焦点検出領域の選択が可能となる。
【手続補正２】
【補正対象書類名】明細書
【補正対象項目名】００２２
【補正方法】変更
【補正の内容】
【００２２】
図３には、本実施形態のカメラの電気回路を示している。この図において、１００はマイクロコンピュータ（以下、ＣＰＵという）でり、このＣＰＵ１００には、測光回路１０２、自動焦点検出回路１０３、信号入力制御回路１０４、ＬＣＤ駆動回路１０５、ＬＥＤ駆動回路１０６、シャッタ制御回路１０８、モータ制御回路１０９が接続されている。また、ＣＰＵ１００は、撮影レンズ（図示せず）内に配置された焦点調節回路１１０、絞り駆動回路１１１と不図示のマウント接点を介して信号の伝達を行う。また、ＣＰＵ１００には、カメラの各種機能のデータを記憶するＥＥＰＲＯＭ１００ａが付随している。
【手続補正３】
【補正対象書類名】明細書
【補正対象項目名】００３２
【補正方法】変更
【補正の内容】
【００３２】
ＬＥＤ駆動回路１０６は、照明用ＬＥＤ（Ｆ−ＬＥＤ）１０６ａとスーパーインポーズ用ＬＥＤ（ＳＩ−ＬＥＤ）１０６ｂとを点灯、点滅制御する。シャッタ制御回路１０８は、通電されると先幕を走行させるマグネットＭＧー１と、後幕を走行させるマグネットＭＧ−２とを制御し、感光部材に所定光量を露光させる。モータ制御回路１０９は、フィルムの巻上げ、巻戻しを行なうモータＭ１と主ミラー２およびシャッタ４のチャージを行なうモータＭ２とを制御する。シャッタ制御回路１０８およびモータ制御回路１０９によって一連のカメラのレリーズシーケンスが制御される。
【手続補正４】
【補正対象書類名】明細書
【補正対象項目名】００３３
【補正方法】変更
【補正の内容】
【００３３】
次に、本カメラ（ＣＰＵ１００）における各情報入力部材１３〜１５による焦点検出領域の選択動作を図４のフローチャートを用いて説明する。
【手続補正５】
【補正対象書類名】明細書
【補正対象項目名】００３７
【補正方法】変更
【補正の内容】
【００３７】
ステップ４では、第２の情報入力部材１５からの信号をアップダウンカウンターにてカウントし、信号入力制御回路１０４およびＣＰＵ１００を通して、ＬＣＤ駆動回路１０５およびＬＥＤ駆動回路１０６に対して図１（ｂ）のＶ方向（カメラの絶対縦方向であり、横姿勢における縦方向）に合焦動作を行わせる焦点検出領域の表示の移動を行なわせる。Ｖ方向のうちどの方向へ移動させるかは、第２の情報入力部材１５に設けられた２つのスイッチＳＷ−ＳＤＩＡＬ１，ＳＷ−ＳＤＩＡＬ２からの信号のＯＮ・ＯＦＦタイミングにより決定される。
【手続補正６】
【補正対象書類名】明細書
【補正対象項目名】００３８
【補正方法】変更
【補正の内容】
【００３８】
このようにステップ３，４にて焦点検出領域を移動させた後、ステップ５に進み、ＳＷ１の信号をモニターし、これがＯＦＦならばステップ２へ戻り、再度第１の情報入力部材１３と第２の情報入力部材１５からの信号の検出ルーチンに入る。一方、ＳＷ１の信号がＯＮならばステップ１の通常の操作モニターへ戻る。ステップ６では、縦姿勢用焦点検出領域選択開始ボタン１７（ＳＷ−ＡＦＳ´）がＯＮされているか否かを判別し、ＯＮされているときはステップ７へ進み、前述した第２モードのルーチンに入る。一方、縦姿勢用焦点検出領域選択開始ボタン１７がＯＦＦのときはステップ１に戻る。
【手続補正７】
【補正対象書類名】明細書
【補正対象項目名】００４１
【補正方法】変更
【補正の内容】
【００４１】
ステップ９では、第３の情報入力部材１４からの信号をアップダウンカウンターにてカウントし、信号入力制御回路１０４およびＣＰＵ１００を通して、ＬＣＤ駆動回路１０５およびＬＥＤ駆動回路１０６に対して図２（ｂ）のＶ方向（カメラの絶対縦方向であり、縦姿勢における横方向）に合焦動作を行わせる焦点検出領域の表示の移動を行なわせる。Ｖ方向のうちどの方向へ移動させるかは、第３の情報入力部材１４に設けられた２つのスイッチＳＷ−ＭＤＩＡＬ１´，ＳＷ−ＭＤＩＡＬ２´からの信号のＯＮ・ＯＦＦタイミングにより決定される。
【手続補正８】
【補正対象書類名】明細書
【補正対象項目名】００５７
【補正方法】変更
【補正の内容】
【００５７】
７６は横姿勢用焦点検出領域選択開始ボタンであり、これを押すことにより第１の情報入力部材７３と第２の情報入力部材７５による焦点検出領域の選択を可能とする第１モードが設定される。７７は縦姿勢用焦点検出領域選択開始ボタンであり、これを押すことにより第３の情報入力部材７４と第４の情報入力部材７８による焦点検出領域の選択を可能とする第２モードが設定される。
【手続補正９】
【補正対象書類名】明細書
【補正対象項目名】００６４
【補正方法】変更
【補正の内容】
【００６４】
８６は横姿勢用焦点検出領域選択開始ボタンであり、これを押すことにより第１の情報入力部材８３と第２の情報入力部材８５による焦点検出領域の選択を可能とする第１モードが設定される。８７は縦姿勢用焦点検出領域選択開始ボタンであり、これを押すことにより第３の情報入力部材８４と第４の情報入力部材８８による焦点検出領域の選択を可能とする第２モードが設定される。
【手続補正１０】
【補正対象書類名】明細書
【補正対象項目名】００６９
【補正方法】変更
【補正の内容】
【００６９】
また、本実施形態では、第３の情報入力部材８４、縦姿勢用焦点検出領域選択開始ボタン８７および第４の情報入力部材８８をカメラ本体８０に着脱可能なアクセサリ８１に配置しており、カメラ本体８０とアクセサリ８１とを電気的に接続する不図示のコネクタによって両者間の制御信号の受け渡しを行っている。このため、カメラ本体８０自身の小型・軽量化を図ることができる。
【手続補正１１】
【補正対象書類名】明細書
【補正対象項目名】００７２
【補正方法】変更
【補正の内容】
【００７２】
９６は横姿勢用焦点検出領域選択開始ボタンであり、これを押すことにより第１の情報入力部材９３と第２の情報入力部材９５による焦点検出領域の選択を可能とする第１モードが設定される。９７は縦姿勢用焦点検出領域選択開始ボタンであり、これを押すことにより第３の情報入力部材９４と第４の情報入力部材９８による焦点検出領域の選択を可能とする第２モードが設定される。
【手続補正１２】
【補正対象書類名】明細書
【補正対象項目名】００７７
【補正方法】変更
【補正の内容】
【００７７】
また、本実施形態では、第３の情報入力部材９４、縦姿勢用焦点検出領域選択開始ボタン９７をカメラ本体９０に着脱可能なアクセサリ９１に配置しており、カメラ本体９０とアクセサリ９１とを電気的に接続する不図示のコネクタによって両者間の制御信号の受け渡しを行っている。このため、カメラ本体９０自身の小型・軽量化を図ることができる。
【手続補正１３】
【補正対象書類名】明細書
【補正対象項目名】００７８
【補正方法】変更
【補正の内容】
【００７８】
【発明の効果】
以上説明したように、本願第１の発明によれば、カメラをいずれの姿勢で構えたときも、カメラをグリップした手の人差し指で互いに同一形態を有する第１の操作手段又は第３の操作手段を操作すれば各姿勢で構えたときの横方向の焦点検出領域選択を行え、グリップした手の親指で第２の操作手段を操作すれば各姿勢で構えたときの縦方向の焦点検出領域選択を行えるので、いずれの姿勢においても焦点検出領域選択操作が同一の感覚で行え、操作のもたつきや誤操作がなく素早い焦点検出領域選択が行える使い勝手の良いカメラを実現することができる。また、本願第２の発明によれば、カメラをいずれの姿勢で構えたときも、カメラをグリップした手の人差し指で互いに同一形態を有する第１の操作手段又は第３の操作手段を操作すれば各姿勢で構えたときの横方向の焦点検出領域選択を行え、グリップした手の親指で互いに同一形態を有する第２の操作手段又は第４の操作手段を操作すれば各姿勢で構えたときの縦方向の焦点検出領域選択を行えるので、いずれの姿勢においても焦点検出領域選択操作が同一の感覚で行え、操作のもたつきや誤操作がなく素早い焦点検出領域選択が行える使い勝手の良いカメラを実現することができる。
【手続補正１４】
【補正対象書類名】図面
【補正対象項目名】図３
【補正方法】変更
【補正の内容】
【図３】
1999024147.tif 000001